【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
識別コードを所定単位の印刷媒体毎に印刷する印刷部と、前記印刷媒体毎に当該印刷媒体に印刷された識別コードを検査し、不良の識別コードを含む印刷媒体に所定のマークを印刷する検査部と、を備え、
前記印刷部に発生するエラーを検出する検出ステップと、
前記検出ステップで検出されたエラーが、前記印刷部の動作の即時停止を要求しない第一のエラーであるか、前記印刷部の動作の即時停止を要求する第二のエラーであるか、を判定する判定ステップと、
前記判定ステップで前記第二のエラーと判定された場合に、前記印刷部と前記検査部の動作を停止し、前記マークの印刷可能範囲内に位置する印刷媒体に前記マークを印刷するエラー制御ステップと、
前記マークが印刷された印刷媒体を含む所定区間内の印刷媒体が未検査及び不良の少なくとも一方に該当することを、ユーザーに通知する通知ステップと、を含む、
ことを特徴とする印刷装置の制御方法。
【請求項２】
請求項１に記載の制御方法であって、
前記通知ステップは、前記マークが印刷された印刷媒体を含む当該印刷媒体から上流の一以上の印刷媒体が未検査又は不良であることを通知する、
ことを特徴とする印刷装置の制御方法。
【請求項３】
請求項１又は２に記載の制御方法であって、
前記判定ステップで前記第一のエラーと判定された場合に、前記エラー制御ステップは、前記印刷部により印刷中である印刷媒体まで、前記印刷部による印刷と前記検査部による検査とを行い、その後、前記印刷部と前記検査部の動作を停止する、
ことを特徴とする印刷装置の制御方法。
【請求項４】
請求項３に記載の制御方法であって、
前記判定ステップで前記第一のエラーと判定された場合に、前記エラー制御ステップは、前記検査部により不良の印刷媒体に前記マークを印刷し、その後、前記印刷部と前記検査部の動作を停止する、
ことを特徴とする印刷装置の制御方法。
【請求項５】
請求項３に記載の制御方法であって、
前記判定ステップで前記第一のエラーと判定された場合に、前記エラー制御ステップは、前記検査部に不良と判定された印刷媒体に対する処理モードの選択をユーザーから受け付ける、
ことを特徴とする印刷装置の制御方法。
【請求項６】
請求項３〜５いずれか一項に記載の印刷装置の制御方法であって、
前記判定ステップで前記第一のエラーと判定された場合に、前記エラー制御ステップは、前記印刷部と前記検査部の動作を停止して前記印刷装置をエラー解除待ち状態に移行する前に、前記印刷部による印刷再開位置の調整を行う、
ことを特徴とする印刷装置の制御方法。
【請求項７】
請求項１〜６いずれか一項に記載の印刷装置の制御方法であって、
前記通知ステップは、前記印刷装置が備えるディスプレイに表示する、又は、前記印刷装置に接続される外部装置に出力する、ことにより通知を行う、
ことを特徴とする印刷装置の制御方法。
【請求項８】
識別コードを所定単位の印刷媒体毎に印刷する印刷部と、
前記印刷媒体毎に当該印刷媒体に印刷された識別コードを検査し、不良の識別コードを含む印刷媒体に所定のマークを印刷する検査部と、
前記印刷部に発生するエラーを検出する検出手段と、
前記検出手段で検出されたエラーが、前記印刷部の動作の即時停止を要求しない第一のエラーであるか、前記印刷部の動作の即時停止を要求する第二のエラーであるか、を判定する判定手段と、
前記判定手段で前記第二のエラーと判定された場合に、前記印刷部と前記検査部の動作を停止させ、前記検査部に前記マークの印刷可能範囲内に位置する印刷媒体に前記マークを印刷させるエラー制御手段と、
最も上流側にある印刷済み又は印刷途中の印刷媒体から、前記マークが印刷された印刷媒体までの一以上の印刷媒体が未検査又は不良であることをユーザーに通知する通知手段と、有する、
ことを特徴とする印刷装置。
【手続補正２】
【補正対象書類名】明細書
【補正対象項目名】０００９
【補正方法】変更
【補正の内容】
【０００９】
上記の課題を解決するための本発明の一態様は、識別コードを所定単位の印刷媒体毎に印刷する印刷部と、前記印刷媒体毎に当該印刷媒体に印刷された識別コードを検査し、不良の識別コードを含む印刷媒体に所定のマークを印刷する検査部と、を備え、前記印刷部に発生するエラーを検出する検出ステップと、前記検出ステップで検出されたエラーが、前記印刷部の動作の即時停止を要求しない第一のエラーであるか、前記印刷部の動作の即時停止を要求する第二のエラーであるか、を判定する判定ステップと、前記判定ステップで前記第二のエラーと判定された場合に、前記印刷部と前記検査部の動作を停止し、前記マークの印刷可能範囲内に位置する印刷媒体に前記マークを印刷するエラー制御ステップと、前記マークが印刷された印刷媒体を含む所定区間内の印刷媒体が未検査及び不良の少なくとも一方に該当することを、ユーザーに通知する通知ステップと、を含む、ことを特徴とする。
【手続補正３】
【補正対象書類名】明細書
【補正対象項目名】００１２
【補正方法】変更
【補正の内容】
【００１２】
また、前記判定ステップで前記第一のエラーと判定された場合に、前記エラー制御ステップは、前記印刷部により印刷中である印刷媒体まで、前記印刷部による印刷と前記検査部による検査とを行い、その後、前記印刷部と前記検査部の動作を停止する、ことを特徴としてもよい。
【手続補正４】
【補正対象書類名】明細書
【補正対象項目名】００１４
【補正方法】変更
【補正の内容】
【００１４】
また、前記判定ステップで前記第一のエラーと判定された場合に、前記エラー制御ステップは、前記検査部により不良の印刷媒体に前記マークを印刷し、その後、前記印刷部と前記検査部の動作を停止する、ことを特徴としてもよい。このようにすれば、不良印刷媒体にマークが印刷されるので、ユーザーは不良の印刷媒体を判断し易くなる。
【手続補正５】
【補正対象書類名】明細書
【補正対象項目名】００１５
【補正方法】変更
【補正の内容】
【００１５】
また、前記判定ステップで前記第一のエラーと判定された場合に、前記エラー制御ステップは、前記検査部に不良と判定された印刷媒体に対する処理モードの選択をユーザーから受け付ける、ことを特徴としてもよい。このようにすれば、エラーが発生した場合も、ユーザーの要求に応じた処理を実行できる。
【手続補正６】
【補正対象書類名】明細書
【補正対象項目名】００１６
【補正方法】変更
【補正の内容】
【００１６】
また、前記判定ステップで前記第一のエラーと判定された場合に、前記エラー制御ステップは、前記印刷部と前記検査部の動作を停止して前記印刷装置をエラー解除待ち状態に移行する前に、前記印刷部による印刷再開位置の調整を行う、ことを特徴としてもよい。このようにすれば、エラー解除後、印刷再開するまでの時間を短縮できる。
【手続補正７】
【補正対象書類名】明細書
【補正対象項目名】００１８
【補正方法】変更
【補正の内容】
【００１８】
上記の課題を解決する本発明の他の態様は、識別コードを所定単位の印刷媒体毎に印刷する印刷部と、前記印刷媒体毎に当該印刷媒体に印刷された識別コードを検査し、不良の識別コードを含む印刷媒体に所定のマークを印刷する検査部と、前記印刷部に発生するエラーを検出する検出手段と、前記検出手段で検出されたエラーが、前記印刷部の動作の即時停止を要求しない第一のエラーであるか、前記印刷部の動作の即時停止を要求する第二のエラーであるか、を判定する判定手段と、前記判定手段で前記第二のエラーと判定された場合に、前記印刷部と前記検査部の動作を停止させ、前記検査部に前記マークの印刷可能範囲内に位置する印刷媒体に前記マークを印刷させるエラー制御手段と、
最も上流側にある印刷済み又は印刷途中の印刷媒体から、前記マークが印刷された印刷媒体までの一以上の印刷媒体が未検査又は不良であることをユーザーに通知する通知手段と、有する、ことを特徴とする。